(57)【要約】【課題】テレビ番組の視聴制限だけでなく、テレビゲームやビデオなどの使用制限をも行い、子供が深夜遅くにテレビ番組を見ることやテレビゲームをすること等を制限したテレビ受像機を提供する。【解決手段】ＴＶ１は、TV１全体の制御を行うメインマイコン１２と、テレビ放送信号を処理するチューナ２と、テレビ放送信号から映像信号と音声信号とを分離抽出する映像／音声切換部３と、ＯＳＤを映像信号に重畳するＯＳＤ処理部４と、映像信号を出力する映像処理部５と、映像を表示する表示部６と、音声信号を増幅し出力する音声処理部７と、音声を外部に発生する音声出力部８と、ユーザが音量の調整等を行う操作部９と、入力ソースが接続される入力端子１０と、装置本体の各部に電源を供給する電源部１１と、電源制御機能を有するサブマイコン２２と、計時手段であるRTC２３と、記憶手段である記憶部２４と、電池式電源手段である電池２５とを備えている。【選択図】  図１
2006333028.tif 000002
【特許請求の範囲】
【請求項１】
複数の入力ソースの中から選択された入力ソースの映像を表示する表示手段と、
商用電源から前記表示手段を含む装置本体の各部に電源を供給する第一の電源手段と、を備えたテレビ受像機において、
現在時間を計時する計時手段と、
前記第一の電源手段からの電源の供給をオフする時間帯として電源オフ時間帯を記憶する記憶手段と、
前記計時手段が計時する前記現在時間が、前記記憶手段が記憶する前記電源オフ時間帯の範囲内に含まれているか否か判定し、含まれていると判定すれば、前記第一の電源手段からの電源の供給を禁止する電源制御機能を有する電源管理手段と、
前記電源管理手段、前記計時手段、および前記記憶手段に電源を供給する第二の電源手段と、
前記計時手段に電源を供給する電池式電源手段と、
所望のOSDを前記表示手段に表示するOSD表示手段と、
前記計時手段が計時する前記現在時間と前記記憶手段が記憶する前記電源オフ時間帯とパスワードとを含む設定情報を変更操作する操作手段と、
前記設定情報を変更する旨の信号を前記操作手段から受信した際、パスワード入力画面の表示を前記OSD表示手段に指示する制御手段と、を備え、
前記操作手段は、パスワードを入力するキーを有し、
前記制御手段は、前記操作手段により入力されたパスワードが適正であるか否か判定し、該パスワードが適正であると判定すれば、前記設定情報の変更を許可するテレビ受像機。
【請求項２】
複数の入力ソースの中から選択された入力ソースの映像を表示する表示手段と、
商用電源から前記表示手段を含む装置本体の各部に電源を供給する第一の電源手段と、を備えたテレビ受像機において、
現在時間を計時する計時手段と、
前記第一の電源手段からの電源の供給をオフする時間帯として電源オフ時間帯を記憶する記憶手段と、
前記計時手段が計時する前記現在時間が、前記記憶手段が記憶する前記電源オフ時間帯の範囲内に含まれているか否か判定し、含まれていると判定すれば、前記第一の電源手段からの電源の供給を禁止する電源制御機能を有する電源管理手段と、
前記電源管理手段、前記計時手段、および前記記憶手段に電源を供給する第二の電源手段と、を備えるテレビ受像機。
【請求項３】
前記計時手段に電源を供給する電池式電源手段を備えた請求項２記載のテレビ受像機。
【請求項４】
所望のOSDを前記表示手段に表示するOSD表示手段と、
前記計時手段が計時する前記現在時間と前記記憶手段が記憶する前記電源オフ時間帯とパスワードとを含む設定情報を変更操作する操作手段と、
前記設定情報を変更する旨の信号を前記操作手段から受信した際、パスワード入力画面の表示を前記OSD表示手段に指示する制御手段と、を備え、
前記操作手段は、パスワードを入力するキーを有し、
前記制御手段は、前記操作手段により入力されたパスワードが適正であるか否か判定し、該パスワードが適正であると判定すれば、前記設定情報の変更を許可する請求項２または３に記載のテレビ受像機。
【発明の詳細な説明】
【技術分野】
【０００１】
本発明は、テレビ放送信号等の映像を表示出力するテレビ受像機に関し、特に、テレビ、ビデオ、又はテレビゲームなどの使用制限を行う電源制御機能を有するテレビ受像機に関するものである。
【背景技術】
【０００２】
子供が深夜遅くにテレビ番組を見ることやテレビゲームをすること等を制限したいという要求が保護者の一部にある。
【０００３】
しかし、子供がこれらを使用、あるいは視聴することを、保護者が常に管理できるとは限らない。子供部屋にテレビ受像機を設置している場合には、なおさら管理することが難しい。
【０００４】
そこで、従来のテレビ受像機において、EPG（Electric  Program  Guide）やレーティングによって視聴制限をかけることによりテレビ受像機の使用制限を行っていた。
【０００５】
一方、特許文献１に記載されたような電源制御装置が提案されている。
【０００６】
この電源制御装置は、ACコンセントとACコードとを備えており、装置本体のACコンセントとテレビ受像機又はテレビゲーム機のACコードとが接続され、且つ装置本体のACコードと商用電源のACコンセントとが接続される。また、テレビ受像機又はテレビゲーム機のACコードが該電源制御装置のACコンセントから外れないように蓋をし、該蓋を鍵でロックしている。
【０００７】
そして、子供が一定時間以上テレビ番組を見たりテレビゲームをすれば、テレビ受像機の電源を強制的にオフする。
【特許文献１】特開平０８−２３３９６３号公報
【発明の開示】
【発明が解決しようとする課題】
【０００８】
しかしながら、従来のテレビ受像機では、テレビ番組の視聴を制限することができるが、モニタとしての使用を制限することができない。つまり、テレビゲームやビデオなどの外部入力の使用はできてしまう。
【０００９】
また、特許文献１では、子供のテレビゲームなどを制限するためだけに別途専用の装置を購入しなければならず、保護者に負担を強いる。また、鍵が子供に見つかればロックしても意味が無い。ロックを外し、ACコンセントを繋ぎ変えれば、テレビゲームやビデオなどの使用ができてしまう。
【００１０】
本発明はこのような従来の課題を解決しようとするものであり、テレビ番組の使用（視聴）制限だけでなく、テレビゲームやビデオなどの使用制限をも行い、子供が深夜遅くにテレビ番組を見ることやテレビゲームをすること等を制限したテレビ受像機を提供することを目的とする。
【課題を解決するための手段】
【００１１】
本発明のテレビ受像機は、前記課題を解決するために以下の構成を備えている。
（１）複数の入力ソースの中から選択された入力ソースの映像を表示する表示手段と、
商用電源から前記表示手段を含む装置本体の各部に電源を供給する第一の電源手段と、を備えたテレビ受像機において、
現在時間を計時する計時手段と、
前記第一の電源手段からの電源の供給をオフする時間帯として電源オフ時間帯を記憶する記憶手段と、
前記計時手段が計時する前記現在時間が、前記記憶手段が記憶する前記電源オフ時間帯の範囲内に含まれているか否か判定し、含まれていると判定すれば、前記第一の電源手段からの電源の供給を禁止する電源制御機能を有する電源管理手段と、
前記電源管理手段、前記計時手段、および前記記憶手段に電源を供給する第二の電源手段と、を備える。
【００１２】
この構成において、入力ソースは、例えばTV放送の受信回路、接続されたテレビゲーム機、ＤＶＤプレイヤ、又はビデオプレイヤである。電源オフ時間帯は、予め設定する時間であり、子供にテレビ番組を見ることやテレビゲームをすること等を制限したい時間に設定すると良い。電源オフ時間帯は、例えば深夜の時間帯である。
【００１３】
第二の電源手段は、電源をオフしている間も、電源管理手段、計時手段、および記憶手段に電源を供給しているので、電源管理手段は、常に、計時手段が計時する現在時間が、記憶手段が記憶する電源オフ時間帯の範囲内に含まれているか否か判定することができる。そして、含まれていると判定すれば、電源管理手段は、第一の電源手段からの電源の供給を禁止する。これにより、テレビ番組の使用（視聴）制限だけでなく、テレビゲームやビデオなどの使用制限をも行う。
【００１４】
以上の電源制御機能により、子供が深夜遅くにテレビ番組を見ることやテレビゲームをすること等を制限することができる。
（２）前記計時手段に電源を供給する電池式電源手段を備える。
【００１５】
この構成では、テレビ受像機のACコンセントが外れた場合のことを想定している。（１）では、テレビ受像機のACコンセントが外れた場合、計時手段には電流が供給されなくなってしまい、現在時間が狂ってしまう。
【００１６】
そこで、テレビ受像機が上記構成を備えることにより、テレビ受像機のACコンセントが外れた場合、代わりに電池式電源手段が計時手段に電源を供給することで現在時間がおかしくなることを防止する。
（３）所望のOSDを前記表示手段に表示するOSD表示手段と、
前記計時手段が計時する前記現在時間と前記記憶手段が記憶する前記電源オフ時間帯とパスワードとを含む設定情報を変更操作する操作手段と、
前記設定情報を変更する旨の信号を前記操作手段から受信した際、パスワード入力画面の表示を前記OSD表示手段に指示する制御手段と、を備え、
前記操作手段は、前記パスワードを入力するキーを有し、
前記制御手段は、前記操作手段により入力された前記パスワードが適正であるか否か判定し、該パスワードが適正であると判定すれば、前記設定情報の変更を許可する。
【００１７】
この構成において、設定情報は、予め設定する情報である。
【００１８】
設定情報の確認は、メニュー下で行い、設定情報の変更は、パスワードで保護されたメニュー下で行う。メニューは、表示手段において表示される。
【００１９】
以上より、容易に設定情報を変更できないようにし、確実に、子供が深夜遅くにテレビ番組を見ることやテレビゲームをすること等を制限することができる。
【発明の効果】
【００２０】
この発明によれば、子供が深夜遅くにテレビ番組を見ることやテレビゲームをすること等を制限することができる。
【発明を実施するための最良の形態】
【００２１】
以下、本発明の実施形態であるテレビジョンについて説明する。
【００２２】
図１は、本発明の実施形態であるテレビジョンの主要な構成を示すブロック図である。
【００２３】
ＴＶ（テレビジョン）１は、TV１全体の制御を行うメインマイコン１２と、テレビ放送信号を処理するチューナ２と、テレビ放送信号から映像信号と音声信号とを分離抽出する映像／音声切換部３と、所望のＯＳＤを映像信号に重畳するＯＳＤ処理部４と、映像信号を表示部６に出力する映像処理部５と、ＣＲＴ６Aで映像を表示する表示部６と、音声信号を増幅し音声出力部８に出力する音声処理部７と、音声を外部に発生する音声出力部８と、ユーザが音量の調整等を行う操作部９と、入力ソースが接続される入力端子１０Ａ、１０Ｂと、装置本体の各部に電源を供給する電源部１１と、を備えている。
【００２４】
さらに、ＴＶ１は、電源制御機能を有するサブマイコン２２と、計時手段であるRTC（Real  Time  Clock）２３と、記憶手段である記憶部２４と、電池式電源手段である電池２５とを備えている。
【００２５】
操作部９にはリモコン信号検出部（不図示）が備えられている。リモコン信号検出部に対し、外部からリモコン２１を用いて、電源のON／OFF、チャンネルの切り替え、音量の調整等の命令が入力されると、リモコン信号検出部は、リモコン２１からの命令信号を受信してメインマイコン１２に伝送する。
【００２６】
操作部９およびリモコン２１は、パスワードを入力するキーを有している。パスワードについては、後述の図３において説明する。
【００２７】
TV１は、テレビゲーム機やＤＶＤプレイヤやビデオプレイヤ等の入力ソースが入力端子１０Ａ、１０Ｂを介して接続されている。
【００２８】
映像／音声切換部３は、テレビゲーム機やＤＶＤプレイヤやビデオプレイヤ等（入力ソース）から出力されてくる映像信号および音声信号を、入力端子１０Ａおよび入力端子１０Ｂを介して受信し、出力する。
【００２９】
一方、チューナ２は、入力ソースであるアンテナ２０で受信しているテレビ放送信号から選択されているチャンネルのテレビ放送信号を抽出し、出力する。そして、映像／音声切換部３は、チューナ２から出力されたテレビ放送信号を、映像信号と音声信号とに分離抽出し、出力する。
【００３０】
映像／音声切換部３から出力された映像信号は、ＯＳＤ処理部４を介して、映像処理部５に入力される。
【００３１】
ＯＳＤ処理部４は、メインマイコン１２から与えられる制御信号に基づいて、映像信号に文字または図形を重畳する。
【００３２】
映像処理部５は、映像／音声切換部３が出力した映像信号を出力し、表示部６は映像を表示する。
【００３３】
音声処理部７は、映像／音声切換部３が出力した音声信号の増幅を行って音声出力部８に出力する。そして、音声出力部８は音声を外部に発生する。
【００３４】
TV１の各部には、電源部１１から電源が供給されている。この電源部１１の入力は、商用電源（例えばAC１００V）である（図１（a）参照）。ここで、該TV１の各部は、メインマイコン１２と、チューナ２と、映像／音声切換部３と、ＯＳＤ処理部４と、映像処理部５と、表示部６と、音声処理部７と、音声出力部８と、操作部９と、を指す。
【００３５】
一方、電源部１１は、電源をオフしている間も、サブマイコン２２、RTC２３、および記憶部２４に電源を供給する（図１（ｂ）参照）。
【００３６】
電池２５は、RTC２３に電源を供給する。電池２５を設けているのは、テレビ受像機のACコンセントが外れた場合のことを想定しているためである。テレビ受像機のACコンセントが外れた場合、電源部１１の代わりに電池２５がRTC２３に電源を供給することで現在時間がおかしくなることを防止する。
【００３７】
RTC２３は、現在時間を計時する。
【００３８】
記憶部２４は、不揮発性のメモリからなり、記憶内容を更新可能である。記憶部２４は、例えばＥＥＰＲＯＭから構成される。記憶部２４は、ユーザが操作部９又はリモコン２１によって予め設定する電源オフ時間帯、パスワード、及びパスワードエラー回数を記憶する。
【００３９】
電源オフ時間帯は、TV１の各部への電源部１１からの電源の供給（Power   Supply）を禁止（図１（a）参照）する時間帯である。電源オフ時間帯は、子供にテレビ番組を見ることやテレビゲームをすること等を制限したい時間に設定すると良い。電源オフ時間帯は、例えば深夜の時間帯である。パスワード及びパスワードエラー回数については、後述の図３において説明する。
【００４０】
サブマイコン２２は、電源制御機能を有する。
【００４１】
図２は、本発明の実施形態であるテレビジョンにおいてサブマイコンが行う動作を示すフローチャートである。この動作は、サブマイコン２２の電源制御機能を示している。
【００４２】
サブマイコン２２は、RTC２３が計時する現在時間が、記憶部２４が記憶する電源オフ時間帯の範囲内に含まれているか否か判定する（ｓ１１１）。
【００４３】
含まれていると判定すれば、サブマイコン２２は、電源部１１からの電源の供給（図１（a）参照）を禁止する（ｓ１１２）。これにより、電源部１１の電源がオンされていれば、電源部１１の電源（図１（a）参照）はオフされる。また、電源部１１の電源がオフされている場合に電源部１１の電源をオンする操作が行われても、該操作を受け付けず、電源部１１の電源（図１（a）参照）はオフされたままとなる。
【００４４】
一方、含まれていないと判定すれば、サブマイコン２２は、電源部１１からの電源の供給（図１（a）参照）を許可する（ｓ１１３）。これにより、電源部１１の電源がオフされている場合に電源部１１の電源をオンする操作が行われれば、電源部１１の電源（図１（a）参照）はオンされる。
【００４５】
上述より、電源部１１は、電源をオフしている間も、サブマイコン２２、RTC２３、および記憶部２４に電源を供給しているので（図１（b）参照）、サブマイコン２２は、２４時間常に、上記電源制御機能が働く。
【００４６】
以上より、テレビ番組の使用（視聴）制限だけでなく、テレビゲームやビデオなどの使用制限をも行い、子供が深夜遅くにテレビ番組を見ることやテレビゲームをすること等を制限することができる。
【００４７】
ここで、サブマイコン２２が、本発明の「電源管理手段」に相当する。また、メインマイコン１２が、本発明の「制御手段」に相当する。また、電源部１１が、本発明の「第一の電源手段」「第二の電源手段」に相当する。
【００４８】
図３は、本発明の実施形態であるテレビジョンにおいて設定情報変更入力受付時にメインマイコンが行う動作を示すフローチャートである。図４は、同テレビジョンにおいてメニュー選択画面を示す図、図５は、パスワード入力画面を示す図、図６は、設定情報変更画面を示す図である。
【００４９】
設定情報は、予め設定する情報であり、例えば現在時間、電源オフ時間帯、又はパスワードである。設定情報の確認とログ（後述のｓ７参照）の確認とは、メニュー下で行い、設定情報の変更は、パスワードで保護されたメニュー下で行う。
【００５０】
上記メニューは、図４に示すように、CRT６AにOSD表示され、ユーザは、操作部９又はリモコン２１におけるキー操作により、設定情報の確認、設定情報の変更又はログ（後述のｓ７参照）の確認をメニューの中から選択する。
【００５１】
ユーザがメニューの中から設定情報の変更を選択すると、図１（１）に示すように、その命令がメインマイコン１２に伝送される。すると、メインマイコン１２は、パスワードエラー入力回数i（後述のｓ８参照）が３回以上であるか否か確認する（ｓ１）。この判定は、記憶部２４に記憶されているパスワードエラー入力回数iを参照することにより行われる。
【００５２】
iに回数制限を設けた理由は、子供がパスワードを総当り入力するなどの手法により、パスワードを見破ること（パスワードクラック）を防止するためである。
【００５３】
iが３回以上でないと判定すると、メインマイコン１２は、パスワード入力画面をOSD表示する旨の信号をＯＳＤ処理部４に送信する（図１（２）、ｓ２）。すると、ＯＳＤ処理部４は、映像信号に文字または図形を重畳し、図５で示すようなパスワード入力画面をCRT６Aに表示する。そして、ユーザは操作部９又はリモコン２１からパスワードを入力する（図１（３））。
【００５４】
メインマイコン１２は、パスワードが適正であるか否か判定する（ｓ３）。この判定は、入力されたパスワードが、予め設定され、記憶部２４に記憶されているパスワードと一致するか否かにより判定する。
【００５５】
なお、パスワードが所定時間経過しても入力されない場合は、パスワードが適正でないと判定する。所定時間は、例えば１０秒である。
【００５６】
パスワードが適正でないと判定すれば、メインマイコン１２は、パスワードエラー入力回数iを１増加させる（ｓ８）。メインマイコン１２は、該回数を記憶部２４に記憶する。
【００５７】
そして、メインマイコン１２は、パスワード入力が行われた日時と、その時入力されたパスワードが適正否だったこととをログとして記憶部２４に記録し（ｓ７）、本処理を終了する。
【００５８】
以上より、保護者は、後日ログを参照することにより、子供が設定情報の変更を試みたことを把握できる。
【００５９】
一方、ｓ３において、パスワードが適正であると判定すれば、記憶部２４が記憶するiをリセットし、i＝０にする（ｓ４）。そして、メインマイコン１２は、設定情報の変更を許可し、設定情報の変更画面をOSD表示する旨の信号をＯＳＤ処理部４に送信する（ｓ５）。すると、ＯＳＤ処理部４は、映像信号に文字または図形を重畳し、図６に示す設定情報の変更画面をOSD表示する。これにより、ユーザは、図６に示す設定情報の変更メニュー下において、変更したい設定情報を変更する。
【００６０】
そして、メインマイコン１２は、変更された設定情報を記憶部２４に記録し、設定情報を更新する（図１（４）、ｓ６）。
【００６１】
なお、変更された設定情報が現在時間であれば、RTC２３の現在時間を変更する（図１（４）、ｓ６）。
【００６２】
以上より、容易に設定情報を変更できないようにし、確実に、子供が深夜遅くにテレビ番組を見ることやテレビゲームをすること等を制限することができる。
【００６３】
そして、メインマイコン１２は、入力操作が行われた日時と、その時入力されたパスワードが適正だったこととをログとして記憶部２４に記録し（ｓ７）、本処理を終了する。
【００６４】
一方、ｓ１において、iが３回以上になると、メインマイコン１２は、一定時間が経過したか否か判定する（ｓ９）。このｓ９を設けた理由は、iをリセットしなければ、ｓ１においてｓ２の処理に進めず、以後設定情報の変更を行えないためである。一定時間は、例えば１２時間である。該一定時間は、パスワードクラックの可能性を考慮して決定する。
【００６５】
一定時間が経過していないと判定すると、メインマイコン１２は、図４のメニュー画面において設定情報の変更の選択操作が行われた日時をログとして記憶部２４に記録し（ｓ７）、本処理を終了する。
【００６６】
また、一定時間が経過していると判定すると、メインマイコン１２は、記憶部２４のiをリセットし（ｓ１０）、ｓ２に進み処理を継続する。
【００６７】
以下、本発明の他の実施形態であるテレビジョンについて説明する。
【００６８】
図７は、同テレビジョンの主要な構成を示すブロック図である。
【００６９】
図７のTV１０１が図１のTV１と構成において相違する点は、電源制御機能を無効にする電源制御機能無効キー（不図示）を操作部１０９又はリモコン１２１に設けた点である。
【００７０】
TV１０１では、現在時間が電源オフ時間帯の範囲内である場合において、緊急の場合に、保護者がTV１０１（電源部１１）の電源をオンするケースを想定している。
【００７１】
TV１では、現在時間が電源オフ時間帯の範囲内である場合、電源をオンすることができなかったが、TV１０１では、この場合でも、先述の電源制御機能を無効にし、電源をオンすることができる。
【００７２】
図８は、本発明の他の実施形態であるテレビジョンにおいて電源がオフされている間に電源制御機能無効キーが押下された時にサブマイコンが行う動作を示すフローチャートである。
【００７３】
電源部１１の電源がオフされている間に、操作部１０９又はリモコン１２１の電源制御機能無効キーが押下されると、図７（A）に示すように、その命令がサブマイコン２２に伝送される。すると、サブマイコン２２は、電源制御機能を無効にする（ｓ２１１）。
【００７４】
その後、サブマイコン２２は、電源部１１の電源をオンする（図７（B）、ｓ２１２）とともに、パスワードを確認する旨の信号（コマンド）をメインマイコン１２に送信する（図７（C）、ｓ２１３）。パスワード確認のような負荷が大きい仕事はメインマイコン１２にさせることで、サブマイコン２２の性能は、最低減の水準を有するスペックでよいことになる。
【００７５】
メインマイコン１２は、サブマイコン２２の代わりにパスワードを確認し（図７（D）（E）、後述の図９ｓ３参照）、その結果をサブマイコン２２に送信する（図７（F）、後述の図９ｓ２８、ｓ２９参照）。
【００７６】
サブマイコン２２は、パスワードOK信号、又はパスワードNG信号を受信したか否かを判定する（ｓ２１４）。この判定は、メインマイコン１２から伝送されてくる電気信号により判断する。パスワードOK信号を受信すれば、サブマイコン２２は、本処理を終了する。
【００７７】
以上により、現在時間が電源オフ時間帯の範囲内である場合でも、電源部１１の電源をオンすることができる。
【００７８】
一方、パスワードNG信号を受信すれば、サブマイコン２２は、電源制御機能を有効にし（ｓ２１５）、本処理を終了する。すると、電源制御機能が再び働くため、サブマイコン２２は、電源部１１からの電源の供給（図１（a）参照）を禁止することになる。つまり、電源部１１の電源が再びオフされる。
【００７９】
図９は、本発明の他の実施形態であるテレビジョンにおいてパスワードを確認する旨の信号を受信した時にメインマイコンが行う動作を示すフローチャートである。この動作は、ｓ２１３においてサブマイコン２２が送信したパスワードを確認する旨の信号（コマンド）を受信した時の動作である。
【００８０】
同メインマイコンが行う動作は、図３におけるｓ５及びｓ６をｓ２８に置き換え、ｓ８の後にｓ２９を追加した動作であり、その他の処理（ｓ１〜ｓ４、ｓ７〜ｓ１０）については同じである。
【００８１】
ｓ３において、パスワードが適正であると判定すれば、メインマイコンは、ｓ４の処理の後、パスワードが適正である旨の信号（パスワードOK信号）をサブマイコン２２に送信し（ｓ２８）、ｓ７に進み処理を継続する。該信号は、先述の図８ｓ２１４の判断に使用される。
【００８２】
一方、ｓ３において、パスワードが適正でないと判定すれば、メインマイコンは、パスワードが適正でない旨の信号（パスワードNG信号）をサブマイコン２２に送信し（ｓ２９）、ｓ７に進み処理を継続する。該信号は、先述の図８ｓ２１４の判断に使用される。
【図面の簡単な説明】
【００８３】
【図１】本発明の実施形態であるテレビジョンの主要な構成を示すブロック図
【図２】本発明の実施形態であるテレビジョンにおいてサブマイコンが行う動作を示すフローチャート
【図３】本発明の実施形態であるテレビジョンにおいて設定情報変更入力受付時にメインマイコンが行う動作を示すフローチャート
【図４】本発明の実施形態であるテレビジョンにおいてメニュー選択画面を示す図
【図５】本発明の実施形態であるテレビジョンにおいてパスワード入力画面を示す図
【図６】本発明の実施形態であるテレビジョンにおいて設定情報変更画面を示す図
【図７】本発明の他の実施形態であるテレビジョンの主要な構成を示すブロック図
【図８】本発明の他の実施形態であるテレビジョンにおいて電源がオフされている間に電源制御機能無効キーが押下された時にサブマイコンが行う動作を示すフローチャート
【図９】本発明の他の実施形態であるテレビジョンにおいてパスワードを確認する旨の信号を受信した時にメインマイコンが行う動作を示すフローチャート
【符号の説明】
【００８４】
１−テレビジョン
２−チューナ
３−映像／音声切換部
４−ＯＳＤ処理部
５−映像処理部
６−表示部
７−音声処理部
８−スピーカ
９−操作部
１０−入力端子
１１−電源部
１２−メインマイコン
２１−リモコン
２２−サブマイコン
２３−RTC
２４−記憶部
２５−電池
１０１−テレビジョン
１０９−操作部
１２１−リモコン
【図１】
2006333028.tif 000003
【図２】
2006333028.tif 000004
【図３】
2006333028.tif 000005
【図４】
2006333028.tif 000006
【図５】
2006333028.tif 000007
【図６】
2006333028.tif 000008
【図７】
2006333028.tif 000009
【図８】
2006333028.tif 000010
【図９】
2006333028.tif 000011